(57)【要約】【課題】  眼鏡フレームの修理を依頼している期間であっても、眼鏡レンズだけを取り外して、仮止着しておくことができる仮眼鏡フレームを提供すること。【解決手段】  左右一対のレンズＬ・Ｌをフロント部に仮設的に保持可能な眼鏡フレームであって、前記フロント部には左右に亙りフロントバー１を備えており、このフロントバー１の左右両側方にはテンプル２・２がそれぞれ配設され、かつ、前記フロントバー１には、前記レンズＬの縁部を挟持可能なクリップ部材３・３が左右一対に配設されている一方、このクリップ部材３は、対向する一対の止着片31・31から成り、各止着片31におけるレンズに対向する挟持面には、少なくとも粘着性止着層31ａを設け、これら一対の止着片31・31を開閉操作する挟持機構32によって、前記レンズＬを仮設的に接着挟持可能に構成するという技術的手段を採用した。【選択図】  図１
2007072068.tif 000002
【特許請求の範囲】
【請求項１】
左右一対のレンズＬ・Ｌをフロント部に仮設的に保持可能な眼鏡フレームであって、
前記フロント部には左右に亙りフロントバー１を備えており、このフロントバー１の左右両側方にはテンプル２・２がそれぞれ配設され、かつ、前記フロントバー１には、前記レンズＬの縁部を挟持可能なクリップ部材３・３が左右一対に配設されている一方、
このクリップ部材３は、対向する一対の止着片31・31から成り、各止着片31におけるレンズに対向する挟持面には、少なくとも粘着性止着層31ａが設けられており、
これら一対の止着片31・31を開閉操作する挟持機構32によって、前記レンズＬを仮設的に接着挟持可能に構成したことを特徴とする仮眼鏡フレーム。
【請求項２】
フロントバー１が、レンズ上部に配設される左右一対のブローバー11・11がブリッジ部材12で連結して構成されており、各ブローバー11に配設されたクリップ部材３・３がレンズＬの上部をそれぞれ挟持可能であることを特徴とする請求項１記載の仮眼鏡フレーム。
【請求項３】
フロントバー１のブリッジ部材12に左右一対の鼻パッドアーム13・13が垂設され、これら鼻パッドアーム13にクリップ部材３が配設されており、レンズＬの側縁をそれぞれ挟持可能であることを特徴とする請求項２記載の仮眼鏡フレーム。
【請求項４】
クリップ部材３の挟持機構32が、一方の挟持片31Ａには挟持方向にスライド可能な長孔32ａが成形され、かつ、他方の挟持片31Ｂには前記長孔32ａに挿通可能なネジ部材32ｂを螺着することにより構成されていることを特徴とする請求項１〜３の何れか一つに記載の仮眼鏡フレーム。
【請求項５】
クリップ部材３の挟持機構32において、挟持片31・31が蝶着され、かつ、これらの挟持片31・31を挟持方向に付勢可能な付勢手段33を介装したことを特徴とする請求項１〜４の何れか一つに記載の仮眼鏡フレーム。
【請求項６】
クリップ部材３の挟持機構32において、挟持片31・31の挟持方向に螺入可能な緊締ネジ32ｃを備えたことを特徴とする請求項１〜５の何れか一つに記載の仮眼鏡フレーム。
【請求項７】
クリップ部材３の挟持機構32において、一方の挟持片31Ａには袋孔32ｄが形成され、かつ、他方の挟持片31Ｂには前記袋孔32ｄに挿入可能な突片32ｅが形成されており、この突片32ｅの先端に形成された止着孔32ｆに緊締ネジ32ｃを螺合可能に構成したことを特徴とする請求項６記載の仮眼鏡フレーム。
【発明の詳細な説明】
【技術分野】
【０００１】
本発明は、眼鏡フレームの改良、更に詳しくは、眼鏡フレームの修理を依頼している期間であっても、眼鏡レンズだけを取り外して、仮止着しておくことができる仮眼鏡フレームに関するものである。
【背景技術】
【０００２】
周知のとおり、眼鏡フレームに破損などの故障が発生した場合には、販売店の修理部門や修理専門業者に修理を依頼する必要がある（この際、例えば、「特許文献１」のような修理受発注システムが開示されている）。
【０００３】
ところで、重大な破損や部品が欠損して取り寄せなければならない場合には、販売店の店頭ですぐに修理ができないため、眼鏡を一旦預ける必要がある。この際、眼鏡フレームのみが故障している場合であっても、従来は、フレームにレンズを嵌めたままで眼鏡全体を修理に出していた。
【０００４】
このことは、眼鏡の主機能がレンズによる着用者の視力矯正であることに鑑みれば、そのレンズの保持手段という間接的構成部品の故障に過ぎないにもかかわらず、機能全体を没却しまうという理不尽なことである。
【０００５】
また、眼鏡レンズは各着用者個人の視力に合わせて、屈折率などを緻密に調整しているため、別の眼鏡で単純に代替できるものではないし、更に付言するならば、通常、眼鏡を複数本所有することは稀であり、一本を唯一使用していることが多いことから、修理期間中には眼鏡を全く使用できず、日常生活に不便を強いられるという不満があった。
【特許文献１】特開２００２−１２２８３０号公報（第２頁、図１）
【発明の開示】
【発明が解決しようとする課題】
【０００６】
本発明は、従来の眼鏡フレームの故障時に上記のような問題があったことに鑑みて為されたものであり、その目的とするところは、眼鏡フレームの修理を依頼している期間であっても、眼鏡レンズだけを取り外して、仮止着しておくことができる仮眼鏡フレームを提供することにある。
【課題を解決するための手段】
【０００７】
本発明者が上記課題を解決するために採用した手段を添付図面を参照して説明すれば次のとおりである。
【０００８】
即ち、本発明は、左右一対のレンズＬ・Ｌをフロント部に仮設的に保持可能な眼鏡フレームであって、
前記フロント部には左右に亙りフロントバー１を備えており、このフロントバー１の左右両側方にはテンプル２・２がそれぞれ配設され、かつ、前記フロントバー１には、前記レンズＬの縁部を挟持可能なクリップ部材３・３が左右一対に配設されている一方、
このクリップ部材３は、対向する一対の止着片31・31から成り、各止着片31におけるレンズに対向する挟持面には、少なくとも粘着性止着層31ａを設け、
これら一対の止着片31・31を開閉操作する挟持機構32によって、前記レンズＬを仮設的に接着挟持可能に構成するという技術的手段を採用した。
【０００９】
また、本発明は、上記課題を解決するために、必要に応じて上記手段に加え、フロントバー１を、レンズ上部に配設される左右一対のブローバー11・11をブリッジ部材12で連結して構成し、各ブローバー11に配設されたクリップ部材３・３がレンズＬの上部をそれぞれ挟持可能にするという技術的手段を採用することができる。
【００１０】
更にまた、本発明は、上記課題を解決するために、必要に応じて上記手段に加え、フロントバー１のブリッジ部材12に左右一対の鼻パッドアーム13・13を垂設し、これら鼻パッドアーム13にクリップ部材３を配設し、レンズＬの側縁をそれぞれ挟持可能にするという技術的手段を採用することができる。
【００１１】
更にまた、本発明は、上記課題を解決するために、必要に応じて上記手段に加え、クリップ部材３の挟持機構32を、一方の挟持片31Ａには挟持方向にスライド可能な長孔32ａを成形して、かつ、他方の挟持片31Ｂには前記長孔32ａに挿通可能なネジ部材32ｂを螺着することにより構成するという技術的手段を採用することができる。
【００１２】
更にまた、本発明は、上記課題を解決するために、必要に応じて上記手段に加え、クリップ部材３の挟持機構32において、挟持片31・31を蝶着して、かつ、これらの挟持片31・31を挟持方向に付勢可能な付勢手段33を介装するという技術的手段を採用することができる。
【００１３】
更にまた、本発明は、上記課題を解決するために、必要に応じて上記手段に加え、クリップ部材３の挟持機構32において、挟持片31・31の挟持方向に螺入可能な緊締ネジ32ｃを備えるという技術的手段を採用することができる。
【００１４】
更にまた、本発明は、上記課題を解決するために、必要に応じて上記手段に加え、クリップ部材３の挟持機構32において、一方の挟持片31Ａには袋孔32ｄを形成して、かつ、他方の挟持片31Ｂには前記袋孔32ｄに挿入可能な突片32ｅを形成し、この突片32ｅの先端に形成された止着孔32ｆに緊締ネジ32ｃを螺合可能に構成するという技術的手段を採用することができる。
【発明の効果】
【００１５】
本発明の仮眼鏡フレームにあっては、フロント部には左右に亙りフロントバーを備えており、このフロントバーの左右両側方にはテンプルをそれぞれ配設し、かつ、前記フロントバーには、前記レンズの縁部を挟持可能なクリップ部材を左右一対に配設する一方、
このクリップ部材は、対向する一対の止着片から成り、各止着片におけるレンズに対向する挟持面には、少なくとも粘着性止着層を設け、これら一対の止着片を開閉操作する挟持機構によって、レンズを仮設的に接着挟持することができる。
【００１６】
したがって、眼鏡フレームの修理を依頼している期間であっても、眼鏡レンズだけを取り外して、仮止着しておくことができることから、眼鏡着用者の不便を解消するものであり、実用的利用価値は頗る高いものがあると云える。
【発明を実施するための最良の形態】
【００１７】
本発明を実施するための最良の形態を具体的に図示した図面に基づいて更に詳細に説明すると、次のとおりである。
【００１８】
本発明の実施形態を図１から図９に基づいて説明する。図中、符号１で指示するものはフロントバーであり、このフロントバー１は、前記フロント部において、左右に亙り配設される長手部材である。
【００１９】
また、符号２で指示するものはテンプルであり、このテンプル２は、前記フロントバー１の側方にそれぞれ配設される耳掛部材である。更にまた、符号３で指示するものはクリップ部材であり、このクリップ部材３は、前記レンズＬの縁部を挟持可能な部材である。
【００２０】
しかして、本発明にあっては、左右一対のレンズＬ・Ｌをフロント部に仮設的に保持可能な眼鏡フレームであって、その全体的構成を図１および図２に基づいて説明すると、まず、前記フロント部には左右に亙りフロントバー１を備えており、このフロントバー１の側方にはテンプル２・２がそれぞれ配設されている。
【００２１】
そして、前記フロントバー１には、前記レンズＬの縁部を挟持可能なクリップ部材３・３が左右一対に配設されている。この際、図１に示すように、フロントバー１を、レンズ上部に配設される左右一対のブローバー11・11をブリッジ部材12で連結して構成し、クリップ部材３・３を各ブローバー11に配設して、レンズＬの上部をそれぞれ挟持可能に構成することができる。
【００２２】
また、図２に示すように、フロントバー１のブリッジ部材12に左右一対の鼻パッドアーム13・13を垂設し、これら鼻パッドアーム13にクリップ部材３を配設して、レンズＬの側縁をそれぞれ挟持可能に構成したものであっても良い。
【００２３】
なお、このクリップ部材３は、対向する一対の止着片31・31から成り、各止着片31におけるレンズに対向する挟持面には、少なくとも粘着性止着層31ａが設けられている。この粘着性止着層31ａは、熱可塑性エラストマーなどのゴム系粘着性樹脂や、シリコーン系樹脂、アクリル系樹脂などのタック性材料を用いても良いし、これらの粘着剤が塗布された両面テープを用いることもでき、レンズに剥離自在に構成されている。
【００２４】
そして、これら一対の止着片31・31を開閉操作する挟持機構32によって、前記レンズＬを仮設的に接着挟持可能に構成されている。以下、クリップ部材３（特に、挟持機構32の態様）について、実施例１から４において説明する。
【００２５】
〔実施例１〕
次に、本発明の第１実施例を図３および図４に基づいて説明する。本実施例では、クリップ部材３の挟持機構32を、一方の挟持片31Ａには挟持方向にスライド可能な長孔32ａを成形して、かつ、他方の挟持片31Ｂには前記長孔32ａに挿通可能なネジ部材32ｂを螺着して構成する。
【００２６】
このように構成したことによって、適度な挟持強度となる位置でネジ部材32ｂを螺着することができ、また、粘着性止着層31ａが設けられているので、ネジ部材32ｂの締め付けが若干緩い場合や挟持間隔が少し広い場合であっても、十分なレンズ保持力を得ることができる。
【００２７】
〔実施例２〕
次に、本発明の第２実施例を図５および図６に基づいて説明する。本実施例では、クリップ部材３の挟持機構32において、挟持片31・31の挟持方向に螺入可能な緊締ネジ32ｃを備えている。
【００２８】
このように構成したことにより、第１実施例のものに加えて、所望の保持強度に調節して、レンズをより強固に止着することができる。
【００２９】
〔実施例３〕
次いで、本発明の第３実施例を図７および図８に基づいて説明する。本実施例では、クリップ部材３の挟持機構32において、一方の挟持片31Ａには袋孔32ｄを形成して、かつ、他方の挟持片31Ｂには前記袋孔32ｄに挿入可能な突片32ｅを形成し、この突片32ｅの先端に形成された止着孔32ｆに緊締ネジ32ｃを螺合可能に構成した。
【００３０】
このように構成したことにより、第２実施例における止着片31・31の対向位置を確実に決定することができる。なお、この際、突片32ｅの厚みを大きくしたり、緊締ネジ32ｃの径を大きくするなどして、スプリット式に構成することもできる。
【００３１】
〔実施例４〕
最後に、本発明の第４実施例を図９に基づいて説明する。本実施例では、クリップ部材３の挟持機構32において、挟持片31・31を蝶着し、かつ、これらの挟持片31・31を挟持方向に付勢可能な付勢手段33を介装して構成した。
【００３２】
本実施例では、この付勢手段33として金属線材のコイルバネを採用し、枢軸に捲回して介装する。なお、当該付勢手段33として、ゴム部材やその他の弾性部材を介装することは当然に可能である。
【００３３】
上記の各実施例に説明したように構成した仮眼鏡フレームにレンズＬを保持すると、図１０のようになるが、この際、クリップ部材３の配設位置が、修理に出した眼鏡のレンズＬのレンズ止着孔ｈと一致する場合には、このレンズ止着孔ｈの部分が挟持片31によって被覆されるとともに、粘着性止着層31ａにより緩衝的に挟持されるので、破損を防止し、レンズを保護することができる。
【００３４】
本発明は概ね上記のように構成されるが、図示の実施形態に限定されるものでは決してなく、「特許請求の範囲」の記載内において種々の変更が可能であって、例えば、フロントバー１はレンズ上部に配設される左右一対のブローバー11・11がブリッジ部材12で連結して構成したものに限らず、レンズの下縁部を支持する形状に設計変更することが可能である。
【００３５】
また、フロントバー１に配設するクリップ部材３の位置や数量は適宜変更することができ、これら何れのものも本発明の技術的範囲に属する。
【図面の簡単な説明】
【００３６】
【図１】本発明の仮眼鏡フレームを表わす全体斜視図である。
【図２】本発明の仮眼鏡フレームを表わす全体斜視図である。
【図３】本発明の第１実施形態のクリップ部材を表わす部分拡大斜視図である。
【図４】本発明の第１実施形態のクリップ部材を表わす部分拡大上面図である。
【図５】本発明の第２実施形態のクリップ部材を表わす部分拡大斜視図である。
【図６】本発明の第２実施形態のクリップ部材を表わす部分拡大上面図である。
【図７】本発明の第３実施形態のクリップ部材を表わす部分拡大斜視図である。
【図８】本発明の第３実施形態のクリップ部材を表わす部分拡大上面図である。
【図９】本発明の第４実施形態のクリップ部材を表わす部分拡大上面図である。
【図１０】本発明の仮眼鏡フレームにレンズを保持した状態を表わす全体斜視図である。
【符号の説明】
【００３７】
１    フロントバー
11    ブローバー
12    ブリッジ部材
13    鼻パッドアーム
２    テンプル
３    クリップ部材
31（31Ａ・31Ｂ）  止着片
31ａ  粘着性止着層
32    挟持機構
32ａ  長孔
32ｂ  ネジ部材
32ｃ  緊締ネジ
32ｄ  袋孔
32ｅ  突片
32ｆ  止着孔
33    付勢手段
Ｌ    レンズ
ｈ    レンズ止着孔
【図１】
2007072068.tif 000003
【図２】
2007072068.tif 000004
【図３】
2007072068.tif 000005
【図４】
2007072068.tif 000006
【図５】
2007072068.tif 000007
【図６】
2007072068.tif 000008
【図７】
2007072068.tif 000009
【図８】
2007072068.tif 000010
【図９】
2007072068.tif 000011
【図１０】
2007072068.tif 000012